(57)【特許請求の範囲】
【請求項１】
入力された記録再生信号より絶対時間を抽出するサブコード抽出部と、相対時間リセット信号に応じて前記絶対時間を相対時間基準信号として記憶するリセット位置メモリと、現在の相対時間の演算を行う演算部と、前記演算部が出力する相対時間を入力して記憶する相対時間メモリと、前記演算部が前回処理した絶対時間を記憶する前値メモリと、記録媒体の走行を行わせ、かつ相対時間リセット信号の出力管理を行い、前記演算部への処理手順指令を出力するシステム制御部と、前記演算部より算出された相対時間の表示を行う表示部とを備え、
テープ走行方向が正方向で前記絶対時間と前記前値メモリの出力との差分が負の値になった場合、またはテープ走行方向が逆方向で前記前値メモリの出力と前記絶対時間との差分が負の値になった場合には不連続設定を行った後、前記絶対時間を前記前置メモリに記憶し、テープ走行方向が正方向で前記絶対時間と前記前値メモリの出力との差分が正の値になった場合、またはテープ走行方向が逆方向で前記前値メモリの出力と前記絶対時間との差分が正の値になった場合で、不連続設定がされていた場合には、テープ走行方向が正方向である時は前記相対時間メモリの出力から前記差分を加算した値を、テープ走行方向が逆方向である時は前記相対時間メモリの出力から前記差分を減算した値を、不連続設定がされていない場合には前記絶対時間から前記リセット位置メモリの出力を減算した値をそれぞれ前記相対時間メモリに記憶することを特徴とする磁気記録再生装置。
【発明の詳細な説明】
【０００１】
【産業上の利用分野】
本発明は、絶対時間を再生可能な磁気記録再生装置の関するものである。
【０００２】
【従来の技術】
最近、映像・音声信号と共に、記録媒体であるテープ上の連続した記録の記録時間を表す絶対時間をも、磁気的に記録再生する磁気記録再生装置が注目されている。
この絶対時間（ＴＣ）を記録する従来の磁気記録再生装置においては、相対的な基準であるリセット位置の絶対時間を記憶させ、現在位置の絶対時間との差をとることにより、現在位置での相対時間（ＬＴＣ）を生成してきた。
【０００３】
以下、図面を参照して従来の磁気記録再生装置を説明する。
図４は従来の磁気記録再生装置のブロック図を示すものである。図５は従来の磁気記録再生装置における絶対時間と相対時間の相関を示す模式図である。図６は従来の磁気記録再生装置における絶対時間から相対時間を生成するアルゴリズムを示すフロー図である。
【０００４】
図４において、４００は記録再生手段であって、テープ（図示せず）を記録再生し、絶対時間情報を含む記録再生信号を出力する。４０１は絶対時間情報を含んだ記録再生信号より絶対時間を抽出するサブコード抽出部、４０２は絶対時間の出力先をリセット位置メモリ４０４と演算部４０７とに切り替えるスイッチ、４０３はテープ走行を行わせ、かつ相対時間のリセット管理を行い、演算部４０７への処理手順指令を出力するシステム制御部、４０４は相対時間のリセットにより絶対時間を相対時間基準位置として記憶するリセット位置メモリ、４０７はサブコード抽出部４０１からの絶対時間とリセット位置メモリ４０４からの相対時間基準位置とからシステム制御部４０３からの指令に基づき演算処理を行う演算部、４０８は演算部４０７より算出された相対時間の表示を行う表示部である。
【０００５】
以上のように構成された磁気記録再生装置の絶対時間から相対時間の生成方法について図４〜図６を用いて説明する。
まず、使用者が相対時間リセットスイッチを押した時やテープ取り出し時（Ｓ６０１）に、システム制御部４０３は、スイッチ４０２を切り替えリセット位置メモリ４０４にサブコード抽出部４０１より出力される絶対時間を記憶させる（図５のＵ点、図６のＳ６０４）。
【０００６】
次に、このようにリセット位置メモリ４０４に値が記憶されていれば、リセット設定が終わっているので、システム制御部４０３はスイッチ４０２を切り替えサブコード抽出部４０１より出力される絶対時間を演算部４０７へ出力させる。演算部４０７はシステム制御部４０３からの指令により、サブコード抽出部４０１からの絶対時間からリセット位置メモリ４０４からの絶対時間の差をとり（Ｓ６０３）、この値を相対時間として表示部４０８へ出力する。
【０００７】
図５において、リセット位置メモリ４０４には絶対時間の１５：００：００が記憶されており、現在位置が絶対時間の３０：００：００であるならば、相対時間は、
３０：００：００−１５：００：００＝１５：００：００
となる。また、現在位置が絶対時間の００：００：００であるならば、相対時間は、
００：００：００−１５：００：００＝−１５：００：００
となる。
【０００８】
【発明が解決しようとする課題】
しかしながら、上記のような従来の磁気記録再生装置においては、絶対時間が不連続になると、相対時間も不連続な値を示し、相対時間としての意味をなさなくなるという問題点を有していた。
すなわち図５を用いて説明すると、リセット位置メモリには絶対時間の１５：００：００が記憶されており、現在位置が絶対時間の４５：００：００の位置の時（Ｖ点）に、相対時間は、
４５：００：００−１５：００：００＝３０：００：００
であり、現在位置が未記録部Ｍを隔てた絶対時間の００：００：００の位置（Ｗ点）であるならば、相対時間は、
００：００：００−１５：００：００＝−１５：００：００
となり、未記録部Ｍを隔てることにより、一連のテープ走行において相対時間の値が突然変化し、相対時間としての意味をなさなくなるという問題点を有していた。
【０００９】
本発明は上記従来の問題点を解決するためのもので、未記録部発生等による絶対時間の連続性がない場合においても、絶対時間から連続した相対時間を生成し、テープの相対位置を示す指標として使い勝手の向上を図り、またテープ上に同じ値の相対時間が存在しなくなり編集や検索性の向上をはかるものである。
【００１０】
【課題を解決するための手段】
上記課題を解決するために本発明の磁気記録再生装置は、入力された記録再生信号より絶対時間を抽出するサブコード抽出部と、相対時間リセット信号に応じて絶対時間を相対時間基準位置として記憶するリセット位置メモリと、現在の相対時間の演算を行う演算部と、演算部が出力する相対時間を入力して記憶する相対時間メモリと、演算部が前回処理した絶対時間を記憶する前値メモリと、記録媒体の走行を行わせ、かつ相対時間リセット信号の出力管理を行い、演算部への処理手順指令を出力するシステム制御部と、演算部より算出された相対時間の表示を行う表示部とを備え、
テープ走行方向が正方向で前記絶対時間と前記前値メモリの出力との差分が負の値になった場合、またはテープ走行方向が逆方向で前記前値メモリの出力と前記絶対時間との差分が負の値になった場合には不連続設定を行った後、前記絶対時間を前記前置メモリに記憶し、テープ走行方向が正方向で前記絶対時間と前記前値メモリの出力との差分が正の値になった場合、またはテープ走行方向が逆方向で前記前値メモリの出力と前記絶対時間との差分が正の値になった場合で、不連続設定がされていた場合には、テープ走行方向が正方向である時は前記相対時間メモリの出力から前記差分を加算した値を、テープ走行方向が逆方向である時は前記相対時間メモリの出力から前記差分を減算した値を、不連続設定がされていない場合には前記絶対時間から前記リセット位置メモリの出力を減算した値をそれぞれ前記相対時間メモリに記憶することを特徴とするものである。
【００１１】
【作用】
本発明は上記した構成により、テープの送り方向により前値絶対時間と現在値絶対時間との差（△ＴＣ）をとり、△ＴＣが正の値でかつ絶対時間不連続検出がされていない時は、リセット位置絶対時間と現在位置絶対時間との差を相対時間とし、△ＴＣが正の値でかつ絶対時間不連続検出がされている場合、または△ＴＣが負の値の場合、未記録部が存在すると判断し、相対時間メモリの記憶する相対時間に△ＴＣを加減算した値を相対時間とすることによって、未記録部発生等による絶対時間の連続性がない場合においても、絶対時間から連続した相対時間を生成することができる。
【００１２】
【実施例】
以下、本発明の磁気記録再生装置の一実施例について、図１〜図３を参照しながら説明する。
図１は、本発明の一実施例における磁気記録再生装置のブロック図を示すものである。図２は、本発明の実施例における絶対時間と相対時間の相関を示す模式図である。図３は、本発明の実施例において絶対時間から相対時間を生成するアルゴリズムを示すフロー図である。
【００１３】
図１において、１００は記録再生手段であって、テープ（図示せず）を記録再生し、絶対時間情報を含む記録再生信号を出力する。１０１は記録再生信号より絶対時間を抽出するサブコード抽出部、１０２は絶対時間の出力先をリセット位置メモリと演算部とに切り替えるスイッチ、１０３はテープ走行を行わせ、かつ相対時間のリセット管理を行い、演算部への処理手順指令を出力するシステム制御部、１０４は相対時間のリセットにより絶対時間を相対時間基準位置として記憶するリセット位置メモリである。１０５は１つ前に読み出された絶対時間を記憶する前置メモリ、１０６は生成された相対時間を記憶する相対時間メモリ、１０７はサブコード抽出部１０１からの絶対時間とリセット位置メモリ１０４からの相対時間基準位置と前値メモリ１０５からの絶対時間と相対時間メモリ１０６からの相対時間とをシステム制御部１０３からの指令に基づき演算処理を行う演算部、１０８は演算部１０７より算出された相対時間の表示を行う表示部である。
【００１４】
以上のように構成された磁気記録再生装置について動作を説明する。
まず、使用者が相対時間リセットスイッチを押した時やテープの取り出し時（Ｓ３０１）に、システム制御部１０３はスイッチ１０２を切り替えサブコード抽出部１０１から出力された絶対時間をリセット位置メモリ１０４に記憶させる（図２のＸ点、図３のＳ３０３）。
【００１５】
従来例と同様に、このようにリセット位置メモリ１０４に値が記憶されていれば、リセット設定が終わっているので、システム制御部１０３はスイッチ１０２を切り替え、サブコード抽出部１０１から絶対時間を演算部１０７に出力させる。
Ｓ３０４でテープの走行方向が正方向であれば、システム制御部１０３はサブコード抽出部１０１からの現在値絶対時間から前値メモリ１０５からの前値絶対時間の差をとる指令を演算部１０７に送る。Ｓ３０５で差を取った結果が負であれば（図２のＹ点）、テープ上に未記録部が存在し絶対時間に不連続部が発生したと判断し、絶対時間不連続設定を行い（Ｓ３０６）、現在値絶対時間を前値絶対時間として前値メモリ１０５に記憶させる（Ｓ３１０）。
【００１６】
Ｓ３０５で差を取った結果が正であれば、絶対時間不連続設定がされているか判断し（Ｓ３０７）、設定されていなければ相対時間リセット位置と現在位置の間に絶対時間不連続点が存在しないと判断し、現在値絶対時間からリセット位置メモリ値を減算した値を相対時間として（Ｓ３０９）、演算部１０７から表示部１０８へ出力するとともに相対時間メモリ１０６に記憶させる。Ｓ３０７で絶対時間不連続設定がされていれば、相対時間リセット位置と現在位置の間に絶対時間不連続点が存在すると判断し、サブコード抽出部１０１からの現在値絶対時間から前値メモリ１０５からの前値絶対時間の差をとり、この値を相対時間メモリ１０６から出力される相対時間に加算した値を相対時間として（Ｓ３０８）、演算部１０７から表示部１０８へ出力するとともに相対時間メモリ１０６に記憶させる。
【００１７】
逆にＳ３０４でテープの走行方向が逆方向であれば、システム制御部１０３は前値メモリ１０５からの前値絶対時間からサブコード抽出部１０１からの現在値絶対時間の差をとる指令を演算部１０７に送る（Ｓ３１１）。差を取った結果が負であれば、テープ上に未記録部が存在し絶対時間に不連続部が発生したと判断し、絶対時間不連続設定を行い（Ｓ３１４）、現在値絶対時間を前値絶対時間として前値メモリ１０５に記憶させる（Ｓ３１０）。
【００１８】
Ｓ３１１で差を取った結果が正であれば絶対時間不連続設定がされているか判断し（Ｓ３１２）、設定されていなければ相対時間リセット位置と現在位置の間に絶対時間不連続点が存在しないと判断し、現在値絶対時間からリセット位置メモリ値を減算した値を相対時間として（Ｓ３０９）、演算部１０７から表示部１０８へ出力すると共に相対時間メモリ１０６に記憶させる。
【００１９】
Ｓ３１２で絶対時間不連続設定がされていれば、相対時間リセット位置と現在位置の間に絶対時間不連続点が存在すると判断し、前値メモリ１０５からの前値絶対時間からサブコード抽出部１０１からの現在値絶対時間の差をとり、この値を相対時間メモリ１０６から出力される相対時間から減算した値を相対時間として（Ｓ３１３）、演算部１０７から表示部１０８へ出力すると共に相対時間メモリ１０６に記憶させることにより、絶対時間から相対時間の生成を行わせる。
【００２０】
図２において、テープを正方向に走行させている時、リセット位置メモリ１０４には絶対時間の１５：００：００（Ｘ点）が記憶されており、現在位置が３０：００：００であるならば相対時間は、
３０：００：００−１５：００：００＝１５：００：００
となるが、現在位置がＹ点の００：００：００である時は、前値絶対時間が４５：００：００で現在値絶対時間から前値絶対時間を引いた値は負となるため、絶対時間不連続設定を行う。この時の相対時間は
４５：００：００−１５：００：００＝３０：００：００
となる。
【００２１】
図２のＹ点の次に読み出された絶対時間が０５：００：００である（Ｚ点）とすると絶対時間不連続設定がされているため、前値絶対時間である００：００：００との差である
０５：００：００−００：００：００＝０５：００：００
を相対時間に加算した
３０：００：００＋０５：００：００＝３５：００：００
がＺ点の相対時間として生成される。
【００２２】
以上のように本実施例によると、相対時間のリセット位置としてリセット位置メモリが絶対時間を記憶し、さらに１つ以前に読み出された絶対時間と現在位置の絶対時間を比較して、絶対時間の連続性を検出し、かつ絶対時間の連続時には現在位置絶対時間から相対時間リセット位置として記憶された絶対時間を減算して相対時間の生成を行い、また絶対時間の不連続時には絶対時間の差分を相対時間に補正して相対時間の生成を行うことで、未記録部発生等による絶対時間の連続性がない場合においても、絶対時間から連続した相対時間を生成し、テープの相対位置を示す指標として使い勝手が良くなり、またテープ上に同じ値の相対時間が存在せず編集や検索性の向上をはかることができる。
【００２３】
【発明の効果】
以上のように本発明は、入力された記録再生信号より絶対時間を抽出するサブコード抽出部と、相対時間リセット信号に応じて絶対時間を相対時間基準位置として記憶するリセット位置メモリと、絶対時間を記憶する前値メモリと、相対時間を記憶する相対時間メモリと、サブコード抽出部からの絶対時間と，リセット位置メモリの出力と，前値メモリの出力と，相対時間メモリの出力とから，現在の相対時間の演算を行う演算部と、記録媒体の走行を行わせ、かつ相対時間リセット信号の出力管理を行い、演算部への処理手順指令を出力するシステム制御部と、演算部より算出された相対時間の表示を行う表示部とを備え、相対時間メモリは演算部が出力する相対時間を入力して記憶し、前値メモリは演算部が前回処理した絶対時間を入力して記憶することを特徴としたことにより、相対時間のリセット位置としてリセット位置メモリが絶対時間を記憶し、さらに１つ以前に読み出された絶対時間と現在位置の絶対時間を比較して、絶対時間の連続性を検出し、かつ絶対時間の連続時には現在位置絶対時間から相対時間リセット位置として記憶された絶対時間を減算して相対時間の生成を行い、また絶対時間の不連続時には絶対時間の差分を相対時間に補正して相対時間の生成を行うことで、未記録部発生等による絶対時間の連続性がない場合においても、絶対時間から連続した相対時間を生成し、テープの相対位置を示す指標として使い勝手が良くなり、またテープ上に同じ値の相対時間が存在せず編集や検索性の向上をはかることができる。
【図面の簡単な説明】
【図１】本発明の一実施例における磁気記録再生装置の構成図
【図２】同、絶対時間と相対時間の相関を示す模式図
【図３】同、絶対時間から相対時間を生成するアルゴリズムのフロー図
【図４】従来の磁気記録再生装置の構成図
【図５】同、絶対時間と相対時間の相関を示す模式図
【図６】同、絶対時間から相対時間を生成するアルゴリズムのフロー図
【符号の説明】
１０１  サブコード抽出部
１０２  スイッチ
１０３  システム制御部
１０４  リセット位置メモリ
１０５  前値メモリ
１０６  相対時間メモリ
１０７  演算部
１０８  表示部
【図１】
0003562056.tif 000002
【図２】
0003562056.tif 000003
【図３】
0003562056.tif 000004
【図４】
0003562056.tif 000005
【図５】
0003562056.tif 000006
【図６】
0003562056.tif 000007